(57)【要約】【課題】本発明は放電生成物発生装置に関するもので、放電生成物発生装置の組立作業性の更なる向上ができるものである。【解決手段】そしてこの目的を達成するために本発明は、本体ケース１は、本体ケース１の前面側である略椀形状の前面ケース部３と、本体ケース１の背面側である略椀形状の背面ケース部４と、略筒形状である上部ケース部５とから形成し、前面ケース部３に放電生成物発生手段２を装着し、前面ケース部３の端部と背面ケース部４の端部とを合わせると縦長箱形状となり、上部ケース部５の一方側開口から内方へ前面ケース部３と背面ケース部４の上部を挿入すると上部ケース部５の内面に前面ケース部３と背面ケース部４の上部の少なくとも一部が沿う構成とし、上部ケース部５と前面ケース部３または背面ケース部４の少なくとも一方と固定する第１の固定手段２１を設けたものである。【選択図】図２
2013061093.tif 000002
【特許請求の範囲】
【請求項１】
吸気口と排気口を有する本体ケースと、この本体ケース内に設けた放電生成物発生手段から構成し、前記本体ケースは、前記本体ケースの前面側である略椀形状の前面ケース部と、前記本体ケースの背面側である略椀形状の背面ケース部と、略筒形状である上部ケース部とから形成し、前記前面ケース部に前記放電生成物発生手段を装着し、前記前面ケース部の端部と前記背面ケース部の端部とを合わせると縦長箱形状となり、前記上部ケース部の一方側開口から内方へ前記前面ケース部と前記背面ケース部の上部を挿入すると、前記上部ケース部の内面に前記前面ケース部と前記背面ケース部の上部の少なくとも一部が沿う構成とし、前記上部ケース部と前記前面ケース部または前記背面ケース部の少なくとも一方と固定する第１の固定手段を備えた放電生成物発生装置。
【請求項２】
前記上部ケース部は、他方側開口から一方側開口へ向けて開口面積が次第に広がると共に、前記前面ケース部と前記背面ケース部の上部の少なくとも一部に沿う拡大部を備えた請求項１に記載の放電生成物発生装置。
【請求項３】
前記吸気口には着脱自在なフィルター部を設け、このフィルター部の本体ケースにおける内方側に前記第１の固定手段を設けた請求項２に記載の放電生成物発生装置。
【請求項４】
放電生成物発生手段は、放電生成物発生部と、この放電生成物発生部を制御する回路部と、前記本体ケースの前記吸気口から前記排気口へ送風する送風手段と、前記放電生成物発生部を固定すると共に前記送風手段を仮固定する第１の支持部と、前記回路部を固定する第２の支持部とから構成し、前記第１の支持部と前記第２の支持部とを前記前面ケース部に装着すると、前記送風手段が前記第１の支持部と前記第２の支持部とにより挟まれ固定されることを特徴とする請求項１から３のいずれかに記載の放電生成物発生装置。
【請求項５】
前記フィルター部の本体ケースにおける内方側に前記第２の固定手段を設けた請求項４に記載の放電生成物発生装置。
【発明の詳細な説明】
【技術分野】
【０００１】
本発明は、高電圧を印加することにより放電生成物を生成し、除菌や脱臭を行なう放電生成物発生装置に関する。
【背景技術】
【０００２】
従来のこの種の放電生成物発生装置の構成は以下のようになっていた。
【０００３】
すなわち、吹出口と吸込口とを設けた本体ケースと、この本体ケース内の吸込口から吹出口への風路に、放電生成物発生手段とを備えた構成となっていた。
【０００４】
（例えば、これに類似する先行文献は下記特許文献１に記載されている。）
【先行技術文献】
【特許文献】
【０００５】
【特許文献１】特開２０１１−０３３３０４号公報
【発明の概要】
【発明が解決しようとする課題】
【０００６】
上記従来例における課題は、放電生成物発生装置の組立作業性の更なる向上ということであった。
【０００７】
すなわち、従来の物においては、本体ケースは、上面が開口した縦長箱形状であるため、本体ケース内に装着する部品を手で掴んで挿入し、その部品を手で支えながら本体ケースの底から順次固定する組立作業は、本体ケースの水平断面積が手の握りこぶしより小さくなると、困難な作業であった。
【０００８】
そこで、まず、本体ケース内に装着する複数の部品を一つのユニットに組立て、次に、そのユニットを上面が開口した縦長箱形状の本体ケースに上方から挿入し、最後に、挿入したユニットを本体ケースに固定して組立てるものであった。
【０００９】
これにより、本体ケースの水平断面積が手の握りこぶしより小さくても容易に組立てられるが、本体ケース内に複数の部品を順次固定しながら組み立てられず、複数の部品を一つのユニットに組立てる作業に加え、更に、縦長のユニットを縦長の本体ケース内に挿入し固定する作業が発生するので、組み立て工数は増加するものであった。
【００１０】
そこで本発明は、放電生成物発生装置の組立作業性の更なる向上を目的とするものである。
【課題を解決するための手段】
【００１１】
そしてこの目的を達成するために本発明は、吸気口と排気口を有する本体ケースと、この本体ケース内に設けた放電生成物発生手段から構成し、前記本体ケースは、前記本体ケースの前面側である略椀形状の前面ケース部と、前記本体ケースの背面側である略椀形状の背面ケース部と、略筒形状である上部ケース部とから形成し、前記前面ケース部に前記放電生成物発生手段を装着し、前記前面ケース部の端部と前記背面ケース部の端部とを合わせると縦長箱形状となり、前記上部ケース部の一方側開口から内方へ前記前面ケース部と前記背面ケース部の上部を挿入すると前記上部ケース部の内面に前記前面ケース部と前記背面ケース部の上部の少なくとも一部が沿う構成とし、前記上部ケース部と前記前面ケース部または前記背面ケース部の少なくとも一方と固定する第１の固定手段を備えた構成であり、これにより、初期の目的を達成するものである。
【発明の効果】
【００１２】
以上のように本発明は、吸気口と排気口を有する本体ケースと、この本体ケース内に設けた放電生成物発生手段から構成し、前記本体ケースは、前記本体ケースの前面側である略椀形状の前面ケース部と、前記本体ケースの背面側である略椀形状の背面ケース部と、略筒形状である上部ケース部とから形成し、前記前面ケース部に前記放電生成物発生手段を装着し、前記前面ケース部の端部と前記背面ケース部の端部とを合わせると縦長箱形状となり、前記上部ケース部の一方側開口から内方へ前記前面ケース部と前記背面ケース部の上部を挿入すると前記上部ケース部の内面に前記前面ケース部と前記背面ケース部の上部の少なくとも一部が沿う構成とし、前記上部ケース部と前記前面ケース部または前記背面ケース部の少なくとも一方と固定する第１の固定手段を備えた構成であり、放電生成物発生装置の組立作業性の更なる向上を目的とするものである。
【００１３】
すなわち、本体ケースの前面側である略椀形状の前面ケース部と、本体ケースの背面側である略椀形状の背面ケース部と、略筒形状である上部ケース部とから形成しているので、組立て作業は、まず、前面ケース部に放電生成物発生手段の複数の部品を装着し、次に、前面ケース部と背面ケース部とを合わせ縦長略箱形状とし、最後に、上部ケース部の一方側開口から内方へ前面ケース部と背面ケース部の上部を挿入し、上部ケース部と前面ケース部または背面ケース部の少なくとも一方と固定するものである。
【００１４】
つまり、前面ケース部は、本体ケースの前面側である略椀形状であり、前面ケース部内に複数の部品を順次直接固定しながら組み立てられるので、本体ケースの水平断面積が手の握りこぶしより小さくても容易に組立てられると共に、組み立て工数を低減できる。
【００１５】
これらの結果により、放電生成物発生装置の組立作業性の更なる向上ができるものである。
【図面の簡単な説明】
【００１６】
【図１】本発明の実施の形態１の放電生成物装置の概略図
【図２】同放電生成物装置の概略断面を示す図
【図３】同放電生成物装置の前面ケース部の斜視図
【図４】同放電生成物装置の背面ケース部の斜視図
【図５】同放電生成物装置の上部ケース部の概略断面を示す図
【図６】同放電生成物装置の斜視図
【図７】同放電生成物装置の放電生成物発生手段の斜視図
【図８】同放電生成物装置の放電生成物発生手段の斜視図
【図９】同放電生成物装置の概略断面を示す図
【図１０】同放電生成物装置の送風手段の斜視図
【図１１】同放電生成物装置の第１の支持部の斜視図
【図１２】同放電生成物装置の第２の支持部の斜視図
【発明を実施するための形態】
【００１７】
以下、本実施形態を添付図面を用いて説明する。
【００１８】
（実施の形態１）
図１、図２に示すように、本実施形態の放電生成物発生装置は、略円柱箱形状の本体ケース１内に放電生成物発生手段２を有している。この本体ケース１は、本体ケース１の前面側である略椀形状の前面ケース部３と、本体ケース１の背面側である略椀形状の背面ケース部４と、筒形状である上部ケース部５とから形成している。
【００１９】
前面ケース部３は、図３に示すように、縦長略円筒形状を垂直面で割った一方側である前面ケース側面部６と、この前面ケース側面部６の下端部から水平内方向に伸びた略半円板形状の前面ケース底面部７と、前面ケース側面部６の上端部から水平内方向に伸びた円板形状の前面ケース上面部８とから形成している。前面ケース側面部６の下部の両端部には、両端部から本体ケース１の背面側へ伸びた凸部１６を有し、この凸部１６は、後述する凹部１８に嵌るものである。前面ケース底面部７の先端には、下方に伸びた爪部１７を備え、この爪部１７は、後述する孔部１９に嵌るものである。前面ケース上面部８には、開口である排気口１３を備えている。前面ケース側面部６の上部外周面には、外方へ突出した突起である第１の仮固定部５８を有する。なお、前面ケース上面部８は、前面ケース側面部６に着脱自在な構成でも良い。
【００２０】
背面ケース部４は、図４に示すように、縦長略円筒形状を垂直面で割った他方側である背面ケース側面部９と、この背面ケース側面部９の下端部から水平内方向に伸びた略半円板形状の背面ケース底面部１０とから形成している。背面ケース側面部９の上部には、開口である吸気口１４を備え、この吸気口１４の外方には、着脱自在なフィルター部１５を設けている。背面ケース側面部９の下部の両端部には、両端部から本体ケース１の背面側へ窪んだ凹部１８を有し、この凹部１８は、前面ケース側面部６の凸部１６が嵌るものである。背面ケース底面部１０の先端側には、孔部１９を備え、この孔部１９の上方から前面ケース底面部７の爪部１７が嵌るものである。背面ケース部４の上部には、内方へ窪み、上下方向に伸びた溝部５９を有する。
【００２１】
上部ケース部５は、図５に示すように、円筒形状の上部ケース円筒部１１と、この上部ケース円筒部１１の上端部から内方へ伸びたリング形状の上部ケースリング部１２とから形成している。この上部ケース円筒部１１の内面は、上方側開口から下方側開口へ向けて開口面積が次第に広がる拡大部２０を備えている。上部ケース部５の下部内周面には、内方へ突出した突起である第２の仮固定部６０を有する。上部ケース部５の下端側の開口から内方へ、前面ケース部３と背面ケース部４の上部を挿入すると、この拡大部２０は、前面ケース部３の上部外面に設けた前面ケース当接部２６と、背面ケース部４の上部外面に設けた背面ケース当接部２７に沿うものである。
【００２２】
上記構成における組立作業について説明する。まず、前面ケース部３に放電生成物発生手段２を装着する。放電生成物発生手段２は、後述する複数の部品からなり、これらの部品を順次、直接、前面ケース部３に固定する。
【００２３】
次に、放電生成物発生手段２を装着した前面ケース部３の端部と背面ケース部４の端部とを合わせる。ここで、前面ケース部３の爪部１７が、背面ケース部４の孔部１９の上方から嵌ると共に、前面ケース部３の凸部１６が、背面ケース部４の凹部１８に嵌るように、前面ケース部３前面ケース部３の端部と背面ケース部４の端部とを合わせ略円柱状の縦長箱形状とする。
【００２４】
また、上部ケース部５の下端側の開口から内方へ、前面ケース部３と背面ケース部４の上部を挿入する。ここで、上部ケース部５の後述するねじボス部２２を、背面ケース部４の上部の溝部５９に合わせながら上部ケース部５の内面に前面ケース部３と背面ケース部４の上部の少なくとも一部が沿うまで挿入する。この状態で、上部ケース部５を回転させると、前面ケース側面部６の上部外周面の突起である第１の仮固定部５８の下面に、上部ケース部５の下部内周面の突起である第２の仮固定部６０の上面が接触し、上部ケース部５が前面ケース側面部６および背面ケース部４に仮止め状態となる。
【００２５】
最後に、図６に示すように、仮止め状態となった上部ケース部５と背面ケース部４とを第１の固定手段２１によって固定する。この第１の固定手段２１は、図４、５に示すように、上部ケース部５の内面下部に設けたねじを固定する下に開口した孔を有するねじボス部２２と、このねじボス部２２の下面に位置すると共に背面ケース部４の背面ケース側面部９の上部内面から外方へ伸びた水平面である固定板部２３と、ねじ２５とからなる。この固定板部２３は、切欠部２４を有するとともに、背面ケース側面部９の吸気口１４と、着脱自在なフィルター部１５との間に位置するものである。
【００２６】
上部ケース部５へ、前面ケース部３と背面ケース部４の上部を挿入し、上部ケース部５のねじボス部２２と、背面ケース側面部９の固定板部２３とを合わせ、下から上方向へ向けてねじ２５を固定板部２３の切欠部２４を介してねじボス部２２に固定することにより、上部ケース円筒部１１の内面が、前面ケース部３の前面ケース当接部２６と、背面ケース部４の背面ケース当接部２７とに接触した状態で固定される。
【００２７】
すなわち、本体ケース１の前面側である略椀形状の前面ケース部３と、本体ケース１の背面側である略椀形状の背面ケース部４と、略筒形状である上部ケース部５とから形成しているので、組立て作業は、まず、前面ケース部３に放電生成物発生手段２の複数の部品を装着し、次に、前面ケース部３と背面ケース部４とを合わせ縦長略箱形状とし、最後に、上部ケース部５の一方側開口から内方へ前面ケース部３と背面ケース部４の上部を挿入し、上部ケース部５と前面ケース部３と固定するものである。
【００２８】
つまり、前面ケース部３は、本体ケース１の前面側である略椀形状であり、前面ケース部３内に複数の部品を順次直接固定しながら組み立てられるので、本体ケース１の水平断面積が手の握りこぶしより小さくても容易に組立てられると共に、組み立て工数を低減できる。
【００２９】
これらの結果により、放電生成物装置の組立作業性の更なる向上ができるものである。
【００３０】
また、図５に示すように、上部ケース部５は、他方側開口から一方側開口へ向けて開口面積が次第に広がると共に、前面ケース部３と背面ケース部４の上部の少なくとも一部に沿う拡大部２０を備えたものである。これにより、前面ケース部３と背面ケース部４とが前面ケース部３の端部と背面ケース部４の端部とを合わせ、上部ケース部５に挿入すると、前面ケース部３の端部と背面ケース部４の端部とが接触する方向へ力が働くので、前面ケース部３の端部と背面ケース部４の端部との間に隙間ができるのを抑制できる。
【００３１】
また、図６に示すように、吸気口には着脱自在なフィルター部１５を設け、このフィルター部１５の本体ケース１における内方側に第１の固定手段を設けたものである。これにより、第１の固定手段のねじ２５が、フィルター部１５の内方側に位置するので、ねじ２５が見え難くデザイン性が向上する。
【００３２】
また、放電生成物発生手段２は、図２に示すように、放電生成物発生部２８と、この放電生成物発生部２８を制御する回路部２９と、本体ケース１の吸気口１４から排気口１３へ送風する送風手段３０とから構成している。
【００３３】
放電生成物発生部２８は、図９に示すように、本体ケース１内の上部には、放電生成物発生部２８と送風手段３０とを設け、本体ケース１内の下部には、回路部２９を備えている。
【００３４】
ここで、放電生成物発生部２８について説明すると、図７、８に示すように、この放電生成物発生部２８は、放電電極５４と、この放電電極５４に対向して配置された対向電極５５とを有している。この放電電極５４を冷却する冷却部として配置したペルチェ素子５６を備えている。回路部２９は、これらの対向電極５５と放電電極５４間に高電圧（この実施形態では−５ＫＶ）を印加するものである。
【００３５】
ペルチェ素子５６は０．７５Ｖ〜２．８Ｖ程度の電圧を印加するものであり、この実施形態では、放電電極５４側を低温にする。この放電電極５４部分で冷却されることで、結露すると、放電生成物である帯電微粒子水が発生することになる。この帯電微粒子水中のヒドロキシルラジカルが臭いと反応し、それを酸化させることで、臭いを分解することができるのである。
【００３６】
ヒドロキシルラジカルはヒドロキシ基（水酸基）に反応するラジカルであり、このラジカルは通常２個１組で軌道上を回転しているはずの電子が１つしかないので、電気的に非常に不安定で、周りの原子や分子から欠けた電子を奪おうとするために、酸化力が非常に強いものであり、この酸化作用により臭いが分解、除去されるのである。
【００３７】
放電生成物発生部２８は、図９に示すように、第１の支持部３１に固定され、送風手段３０は、第１の支持部３１に仮固定され、回路部２９は、第２の支持部３２に固定される。
【００３８】
送風手段３０は、図１０に示すように、スクロール形状のケーシング部３５と、このケーシング部３５に固定された電動機３６と、この電動機３６によって回転する羽根３７とから形成している。ケーシング部３５は、側面側には吸込口３８を有し、天面の一方側には上方へ開口した吐出口３９を備え、天面の他端側には本体ケース１における前面側上方、つまり斜め上方向に伸びた第１の突出部４０を設け、底面の一方側には本体ケース１における背面側下方、つまり斜め下方向へ伸びた第２の突出部４１を有している。
【００３９】
第１の支持部３１は、図１１に示すように、水平方向に位置する円板形状の第１の円板部３３と、この第１の円板部３３の下面から下方、垂直方向に伸びた略四角板形状の第１の四角板部３４と、この第１の四角板部３４に設けた第１のケーシング支持部４２と第２のケーシング支持部４３とから構成している。第１のケーシング支持部４２は、第１の四角板部３４の上部一端側に位置すると共に、本体ケース１における背面側下方、つまり斜め下方向へ開口した椀形状である。第２のケーシング支持部４３は、第１の四角板部３４の下部他端側に位置すると共に、本体ケース１における前面側上方、つまり斜め上方向と、本体ケース１における右側面方向とへ開口した椀形状である。第１のケーシング支持部４２は、送風手段３０の第１の突出部４０に斜め下方向から嵌り、第２のケーシング支持部４３は、送風手段３０の第２の突出部４１に本体ケース１における右側面方向から嵌る形状である。
【００４０】
第２の支持部３２は、図１２に示すように、水平方向に位置する円板形状の第２の円板部４４と、この第２の円板部４４の上面から上方、垂直方向に伸びた略三角板形状の第２の三角板部４５と、第２の円板部４４の下面から下方、垂直方向に伸びた略四角板形状の第２の四角板部４６と、この第２の四角板部４６に設けた回路支持部４７とから構成している。
【００４１】
上記構成における組立作業について説明する。まず、第１の支持部３１に放電生成物発生部２８を固定する。次に、第１の支持部３１に送風手段３０を仮固定する。
【００４２】
送風手段３０を仮固定する手順は、まず、第１の支持部３１の第１のケーシング支持部４２に送風手段３０の第１の突出部４０を斜め下方向から嵌める。次に、第１の支持部３１の第２のケーシング支持部４３に送風手段３０の第２の突出部４１を本体ケース１における右側面方向から嵌めるものである。
【００４３】
次に、第２の支持部３２の第２の四角板部４６に設けた回路支持部４７に回路部２９を固定する。この回路部２９を固定した第２の支持部３２の第２の円板部４４の上面を第１の支持部３１の下部に当てる。ここで、同時に、第２の支持部３２の第２の三角板部４５を第１の支持部３１の第２のケーシング支持部４３の本体ケース１における右側面側に当てる。この状態で、第１の支持部３１と第２の支持部３２を前面ケース部３に装着する。
【００４４】
なお、第１の支持部３１の第１のケーシング支持部４２と送風手段３０の第１の突出部４０との間、および第１の支持部３１の第２のケーシング支持部４３と第２の突出部４１との間に防振材を設けても良い。この防振材は、第１の突出部４０、第２の突出部４１の外面を覆う椀形状である。防振材の１例は、ゴムである。
【００４５】
これにより、送風手段３０が第１の支持部３１と第２の支持部３２とにより挟まれ固定されるものである。すなわち、送風手段３０の固定は、工具なしで行なえると共に、本体ケース１における上下、前後、左右の方向から固定されるので、振動の発生を低減できる。
【００４６】
また、前面ケース部３と背面ケース部４とを第２の固定手段によって固定しても良い。具体的には、この第２の固定手段は、図３、１１、１２に示すように、前面ケース部３の前面ケース側面部６の中央部内面から、本体ケース１における背面側に伸び、本体ケース１における背面側にねじを固定する開口した孔を有するねじボス部４８に、ねじ５１によって第１の支持部３１と、第２の支持部３２と、背面ケース部４とを固定するものである。
【００４７】
第１の支持部３１は、第１の四角板部３４から本体ケース１における左方向に伸びた垂直面である固定板部４９を備え、この固定板部４９は、切欠部５２を有するものである。
【００４８】
第２の支持部３２は、第２の円板部４４から上方へ伸びた垂直面である固定板部５０を備え、この固定板部５０は、孔部５３を有するものである。
【００４９】
図４に示すように、背面ケース部４の背面ケース側面部９の中央部には、孔部５７を備えたものである。
【００５０】
すなわち、図３、１１、１２に示すように、第２の支持部３２の第２の円板部４４の上面を第１の支持部３１の下部に当てると共に、第２の支持部３２の第２の三角板部４５を第１の支持部３１の第２のケーシング支持部４３の本体ケース１における右側面側に当て、第１の支持部３１と第２の支持部３２を前面ケース部３に装着し、前面ケース部３の端部と背面ケース部４の端部とを合わせる。この状態で、ねじボス部４８の孔と、固定板部４９の切欠部５２と、固定板部５０の孔部５３と、背面ケース側面部９の孔部５７が対向するので、背面ケース側面部９の外方からねじボス部４８の孔にねじ５１を固定すると、ねじボス部４８に、ねじ５１によって第１の支持部３１の固定板部４９と、第２の支持部３２の固定板部５０と、背面ケース部４の背面ケース側面部９を固定できる。
【００５１】
すなわち、フィルター部１５の本体ケース１における内方側に第２の固定手段を設けたので、これにより、第２の固定手段のねじ５１が、フィルター部１５の内方側に位置するので、ねじ５１が見え難くデザイン性が向上する。
【産業上の利用可能性】
【００５２】
以上のように本発明は、吸気口と排気口を有する本体ケースと、この本体ケース内に設けた放電生成物発生手段から構成し、前記本体ケースは、前記本体ケースの前面側である略椀形状の前面ケース部と、前記本体ケースの背面側である略椀形状の背面ケース部と、略筒形状である上部ケース部とから形成し、前記前面ケース部に前記放電生成物発生手段を装着し、前記前面ケース部の端部と前記背面ケース部の端部とを合わせると縦長箱形状となり、前記上部ケース部の一方側開口から内方へ前記前面ケース部と前記背面ケース部の上部を挿入すると前記上部ケース部の内面に前記前面ケース部と前記背面ケース部の上部の少なくとも一部が沿う構成とし、前記上部ケース部と前記前面ケース部または前記背面ケース部の少なくとも一方と固定する第１の固定手段を備えた構成であり、放電生成物装置の組立作業性の更なる向上を目的とするものである。
【００５３】
すなわち、本体ケースの前面側である略椀形状の前面ケース部と、本体ケースの背面側である略椀形状の背面ケース部と、略筒形状である上部ケース部とから形成しているので、組立て作業は、まず、前面ケース部に放電生成物発生手段の複数の部品を装着し、次に、前面ケース部と背面ケース部とを合わせ縦長略箱形状とし、最後に、上部ケース部の一方側開口から内方へ前面ケース部と背面ケース部の上部を挿入し、上部ケース部と前面ケース部または背面ケース部の少なくとも一方と固定するものである。
【００５４】
つまり、前面ケース部は、本体ケースの前面側である略椀形状であり、前面ケース部内に複数の部品を順次直接固定しながら組み立てられるので、本体ケースの水平断面積が手の握りこぶしより小さくても容易に組立てられると共に、組み立て工数を低減できる。
【００５５】
これらの結果により、放電生成物装置の組立作業性の更なる向上ができるものである。
【００５６】
従って、家庭用、事務所用、車内用などの、放電生成物装置として活用が期待されるものである。
【符号の説明】
【００５７】
１    本体ケース
２    放電生成物発生手段
３    前面ケース部
４    背面ケース部
５    上部ケース部
６    前面ケース側面部
７    前面ケース底面部
８    前面ケース上面部
９    背面ケース側面部
１０  背面ケース底面部
１１  上部ケース円筒部
１２  上部ケースリング部
１３  排気口
１４  吸気口
１５  フィルター部
１６  凸部
１７  爪部
１８  凹部
１９  孔部
２０  拡大部
２１  第１の固定手段
２２  ねじボス部
２３  固定板部
２４  切欠部
２５  ねじ
２６  前面ケース当接部
２７  背面ケース当接部
２８  放電生成物発生部
２９  回路部
３０  送風手段
３１  第１の支持部
３２  第２の支持部
３３  第１の円板部
３４  第１の四角板部
３５  ケーシング部
３６  電動機
３７  羽根
３８  吸込口
３９  吐出口
４０  第１の突出部
４１  第２の突出部
４２  第１のケーシング支持部
４３  第２のケーシング支持部
４４  第２の円板部
４５  第２の三角板部
４６  第２の四角板部
４７  回路支持部
４８  ねじボス部
４９  固定板部
５０  固定板部
５１  ねじ
５２  切欠部
５３  孔部
５４  放電電極
５５  対向電極
５６  ペルチェ素子
５７  孔部
５８  第１の仮固定部
５９  溝部
６０  第２の仮固定部
【図１】
2013061093.tif 000003
【図２】
2013061093.tif 000004
【図３】
2013061093.tif 000005
【図４】
2013061093.tif 000006
【図５】
2013061093.tif 000007
【図６】
2013061093.tif 000008
【図７】
2013061093.tif 000009
【図８】
2013061093.tif 000010
【図９】
2013061093.tif 000011
【図１０】
2013061093.tif 000012
【図１１】
2013061093.tif 000013
【図１２】
2013061093.tif 000014